(57)【要約】【課題】たとえ無人化された制御所においても、信頼性や寿命、使用環境の問題を最小限にすることのできる遠方監視制御システムを得る。【解決手段】ネットワークと、このネットワークとの情報授受を行う伝送手段、初期立ち上げ時のソフトウエアを記憶してある読み出し専用の不揮発性メモリ、平常時使用される読み書き自由な揮発メモリ、これらを制御する中央演算装置とを備えた計算機システムで構成された遠方監視制御装置と、前記ネットワークを介して遠方監視制御装置と情報の授受を行う伝送制御手段およびプログラム・データを記憶する不揮発性のメモリ手段を備えた外部メモリ装置とから構成した。【選択図】　図１
2004038830.tif 000002
【特許請求の範囲】
【請求項１】
計算機システムで構成された遠方監視制御装置をネットワークに接続して情報を授受するようにした遠方監視制御システムにおいて、
前記ネットワークとの情報授受を行う伝送手段と、初期立ち上げ時のソフトウエアを記憶してある読み出し専用の不揮発性メモリと、平常時使用される読み書き自由な揮発メモリと、これらを制御する中央演算装置とを備えた遠方監視制御装置と、
前記ネットワークを介して前記遠方監視制御装置と情報の授受を行う伝送制御手段およびプログラム・データを記憶する不揮発性のメモリ手段を備えた外部メモリ装置とから構成したことを特徴とする遠方監視制御システム。
【請求項２】
前記遠方監視制御装置に設けた読み出し専用の不揮発性メモリに初期化プログラムエリアおよびブートプログラムエリアを設け、平常時使用される読み書き自由な揮発メモリに機能プログラム・データエリア、ワークエリアおよび保存エリアを設け、前記外部メモリ装置の不揮発性メモリに前記遠方監視制御装置に対応する機能プログラム・データエリアおよびワークエリア、保存エリアを設けたことを特徴とする請求項１記載の遠方監視制御システム。
【請求項３】
前記遠方監視制御装置に対して、前記読み書き自由な揮発メモリの一部または全部を不揮発化するための電源バックアップ手段を備えたことを特徴とする請求項１または２記載の遠方監視制御システム。
【請求項４】
前記ネットワークに接続された外部メモリ装置を複数の前記遠方監視制御装置で共用することを特徴とする請求項１、２または３記載の遠方監視制御システム。
【請求項５】
ネットワークとの情報授受を行う伝送手段と、初期立ち上げ時のソフトウエアを記憶してある読み出し専用の不揮発性メモリと、平常時使用される読み書き自由な揮発メモリと、これらを制御する中央演算装置とを備えた遠方監視制御装置と、
前記ネットワークを介して前記遠方監視制御装置と情報の授受を行う伝送制御手段およびプログラム・データを記憶する不揮発性のメモリ手段を備えた外部メモリ装置とを有し、
前記遠方監視制御装置の初期化時、当該遠方監視制御装置に設けられた読み出し専用の不揮発性メモリに記憶されているブート用のプログラムにより、前記外部メモリ装置内に記憶されている当該遠方監視制御装置を動作させためのプログラム・データを読み出して自装置の揮発メモリに記憶させた後、当該読み出したプログラムにより自装置機能を動作させることを特徴とする遠方監視制御システムの動作方法。
【請求項６】
ネットワークとの情報授受を行う伝送手段と、初期立ち上げ時のソフトウエアを記憶してある読み出し専用の不揮発性メモリと、平常時使用される読み書き自由な揮発メモリと、これらを制御する中央演算装置と、前記読み書き自由な揮発メモリの一部または全部を不揮発化するための電源バックアップ手段を備えた遠方監視制御装置と、
前記ネットワークを介して前記遠方監視制御装置と情報の授受を行う伝送制御手段およびプログラム・データを記憶する不揮発性のメモリ手段を備えた外部メモリ装置とを有し、
前記遠方監視制御装置の初期化時、前記読み出し専用の不揮発性メモリが記憶されているブート用のプログラムにより、ネットワーク上の外部メモリ装置に記憶されている前記遠方監視制御装置を動作させるプログラムを伝送制御手段を介して読み出し、遠方監視制御装置の不揮発化された読み書き自由なメモリに記憶させた後、その記憶がある間、記憶されているプログラムにより遠方監視制御装置の機能を動作させることを特徴とする遠方監視制御システムの動作方法。
【請求項７】
計算機システムを、
ハードウェアを初期化する手段、
読み出し専用の不揮発性メモリに記憶されているブート用のプログラムにより、ネットワークに接続されている外部メモリ装置内に記憶されている当該遠方監視制御装置を動作させためのプログラム・データを読み出して自装置の揮発メモリに記憶させる手段、
当該読み出したプログラムにより自装置機能を動作させる手段、
として機能させるための遠方監視制御システム用プログラム。
【発明の詳細な説明】
【０００１】
【発明の属する技術分野】
本発明は、計算機システムで構成され、ネットワークを介して情報の授受を行う遠方監視制御システム、遠方監視制御システムの動作方法およびそのプログラムに関する。
【０００２】
【従来の技術】
一般に、制御所等に設置されている計算機システムによって構成された遠方監視制御装置は、電源の瞬断時などでも自動的に立ち上がらねばならず、また、寿命の短いファンやハードディスクのような比較的短い間隔で保守を必要とする用品は使用に適しない。このため、遠方監視制御装置のプログラムの記憶やプログラムの動作に必要なメモリ等は保守を必要としない半導体のＲＯＭやＲＡＭで構成されている。
【０００３】
以下、２つの従来の遠方監視制御装置について、それぞれ図６および図７に示すハードウェア構成図を参照して説明する。なお、図示の例は親局装置および子局装置のいずれにも適用できるものである。
【０００４】
図６において、１０は、実質的に計算機システムで構成した遠方監視制御装置であり、中央演算処理装置（以後、演算処理部と称する）１１と、全てのプログラムを記憶している不揮発性メモリ（以後ＲＯＭと略す）１２と、前記プログラムなどの動作や各種情報を記憶させる読み書き自由なメモリ（以後ＲＡＭと略す）１３と、その他装置の機能上必要な周辺機器１４とから構成されている。
【０００５】
この図６の構成において、遠方監視制御装置１０の立ち上げ時から機能動作するまでの一連の動きについて説明する。
遠方監視制御装置すなわち計算機システム１０の電源が投入されて演算処理部１１が動作状態になると、この演算処理部１１は、ＲＯＭ１２上に記憶されているプログラムを読み出して、演算処理部１１とＲＯＭ１２および演算処理部１１とＲＡＭ１３の間で初期化処理を行う。演算処理部１１は、この初期化処理が正常に終了した後、遠方監視制御装置１０として所定の機能を実行するためのプログラムをＲＯＭ１２から読み出し、ＲＡＭ１３および周辺機器１４とを用いて所定の機能を実行させる。
【０００６】
さらに、図７図によりもう一つの従来例を説明する。１０´も実質的に計算機システムで構成した遠方監視制御装置であり、そのハードウェア構成は、前記した図６の構成に加えて、遠方監視制御装置の機能を処理するプログラム・データのほとんど全てを記憶する外付けメモリ１５をバス接続したものである。このバス接続の外付けメモリ１５は、一般的に機械型の磁気や光で読み書きするディスク（以後ディスクと略す）で構成される。
【０００７】
次に、この構成における遠方監視制御装置の立ち上げから、装置機能が動作するまでの過程を説明する。
遠方監視制御装置の立ち上げ時、演算処理部１１は、ＲＯＭ１２に記憶されているハードウェアを初期化するプログラムを動作させ、その次にブートと呼ばれるプログラムによって、ディスク１５内に記憶されている各種の機能を処理するプログラムをＲＡＭ１３に読み出し、さらにＲＡＭ１３に記憶されたプログラムを用いて装置としての所定の機能を実行させる。
【０００８】
【発明が解決しようとする課題】
以上述べた図６に示す従来装置においては、プログラムを記憶するＲＯＭ１２の記憶エリアのサイズに、基板上のスペースやＲＯＭ１２の価格上の制約があるため、ＲＯＭ１２で処理する情報量や処理する機能に限界がある。特に、近年グラフィック表示器により、監視制御される設備や機器の系統図、および系統図上に機器のシンボルを状態表示するといった、いわゆるグラフィック画面のための情報を記憶することは、ほとんど無理である。
【０００９】
一方、図７の従来装置においては、ディスク１５をバス接続したことにより前述のプログラムやそれを動作させるエリアのサイズ上の問題はなく、前述のグラフィック画面の表示やその他の機能を動かすことは容易にできる。しかしながら、プログラムを記憶したり、ＲＡＭ１３の補助メモリとなるディスク１５が一般的に機械型であるため、図６のように半導体のみで構成した装置に比べ、信頼性と寿命および使用環境の問題が生じ、通常無人の制御書等には設置することが難しいという課題がある。
【００１０】
本発明は、上記従来技術の課題を解決するためになされたものであり、信頼性や寿命、使用環境の問題を最小限にすることのできる遠方監視制御システム、遠方監視制御システムの動作方法およびそのプログラムを提供することを目的とする。
【００１１】
【課題を解決するための手段】
上記の目的を達成するため、請求項１に係る遠方監視制御システムの発明は、計算機システムで構成された遠方監視制御装置をネットワークに接続して情報を授受するようにした遠方監視制御システムにおいて、前記ネットワークとの情報授受を行う伝送手段と、初期立ち上げ時のソフトウエアを記憶してある読み出し専用の不揮発性メモリと、平常時使用される読み書き自由な揮発メモリと、これらを制御する中央演算装置とを備えた遠方監視制御装置と、前記ネットワークを介して前記遠方監視制御装置と情報の授受を行う伝送制御手段およびプログラム・データを記憶する不揮発性のメモリ手段を備えた外部メモリ装置とから構成したことを特徴とする。
【００１２】
また、請求項２に係わる遠方監視制御システムの発明は、請求項１において、前記遠方監視制御装置に設けた読み出し専用の不揮発性メモリに初期化プログラムエリアおよびブートプログラムエリアを設け、平常時使用される読み書き自由な揮発メモリに機能プログラム・データエリア、ワークエリアおよび保存エリアを設け、前記外部メモリ装置の不揮発性メモリに前記遠方監視制御装置に対応する機能プログラム・データエリアおよびワークエリア、保存エリアを設けたことを特徴とする。
【００１３】
この請求項１および２に係わる発明によれば、遠方監視制御装置に必要なプログラム・データのうち、一部をネットワークを介して別置きされた外部メモリ装置で記憶させるようにし、残りを遠方監視制御装置内のＲＯＭやＲＡＭ、ハードディスクなどの不揮発性メモリで記憶させるようにしたので、遠方監視制御装置内の不揮発性メモリをコンパクトでかつ信頼性を高めることができる。
【００１４】
また、請求項３に係わる遠方監視制御システムの発明は、請求項１または２において、前記遠方監視制御装置に対して、前記読み書き自由な揮発メモリの一部または全部を不揮発化するための電源バックアップ手段を備えたことを特徴とする。
【００１５】
この請求項３に係わる発明によれば、故障や保守のための再立ち上げ時に、読み書き自由な揮発メモリ上のエリアＡ１３−１内のプログラム・データを電源バックアップ手段により揮発されないようにしたので、外部メモリ装置への読み出し動作をせず、すぐに読み書き自由な揮発メモリのエリアに記憶されている機能プログラム・データにより立ち上がることができる。
【００１６】
また、請求項４に係わる遠方監視制御システムの発明は、請求項１、２または３において、前記ネットワークに接続された外部メモリ装置を複数の前記遠方監視制御装置で共用することを特徴とする。
【００１７】
この請求項４に係わる発明によれば、１式の外部メモリ装置を複数の遠方監視制御装置で共用することができるので、より経済的なシステムを構築することができる。
【００１８】
また、請求項５に係わる遠方監視制御システムの動作方法の発明は、ネットワークとの情報授受を行う伝送手段と、初期立ち上げ時のソフトウエアを記憶してある読み出し専用の不揮発性メモリと、平常時使用される読み書き自由な揮発メモリと、これらを制御する中央演算装置とを備えた遠方監視制御装置と、前記ネットワークを介して前記遠方監視制御装置と情報の授受を行う伝送制御手段およびプログラム・データを記憶する不揮発性のメモリ手段を備えた外部メモリ装置とを有し、前記遠方監視制御装置の初期化時、当該遠方監視制御装置に設けられた読み出し専用の不揮発性メモリに記憶されているブート用のプログラムにより、前記外部メモリ装置内に記憶されている当該遠方監視制御装置を動作させためのプログラム・データを読み出して自装置の揮発メモリに記憶させた後、当該読み出したプログラムにより自装置機能を動作させることを特徴とする。
【００１９】
この請求項５に係わる発明によれば、遠方監視制御装置に必要なプログラム・データのうち、一部をネットワークを介して別置きされた外部メモリ装置で記憶させるようにし、残りを遠方監視制御装置内のＲＯＭやＲＡＭ、ハードディスクなどの不揮発性メモリで記憶させるようにし、立ち上げの際、外部メモリ装置からプログラム・データを読み出して機能プログラムを動作させることができる。
【００２０】
さらに、請求項６に係わる遠方監視制御システムの動作方法の発明は、ネットワークとの情報授受を行う伝送手段と、初期立ち上げ時のソフトウエアを記憶してある読み出し専用の不揮発性メモリと、平常時使用される読み書き自由な揮発メモリと、これらを制御する中央演算装置と、前記読み書き自由な揮発メモリの一部または全部を不揮発化するための電源バックアップ手段を備えた遠方監視制御装置と、前記ネットワークを介して前記遠方監視制御装置と情報の授受を行う伝送制御手段およびプログラム・データを記憶する不揮発性のメモリ手段を備えた外部メモリ装置とを有し、前記遠方監視制御装置の初期化時、前記読み出し専用の不揮発性メモリが記憶されているブート用のプログラムにより、ネットワーク上の外部メモリ装置に記憶されている前記遠方監視制御装置を動作させるプログラムを伝送制御手段を介して読み出し、遠方監視制御装置の不揮発化された読み書き自由なメモリに記憶させた後、その記憶がある間、記憶されているプログラムにより遠方監視制御装置の機能を動作させることを特徴とする。
【００２１】
この請求項６に係わる発明によれば、不揮発性メモリ手段に記憶されているプログラム・データが揮発されていなくかつ記憶されている内容に変更っが加えられていなければ、直ちに機能プログラムを起動し、もし、プログラム・データが揮発されているか、変更されていれば、外部メモリ装置から読み出して、機能プログラムを起動することができる。
【００２２】
さらに、請求項７に係わる遠方監視制御システム用プログラムの発明は、計算機システムを、ハードウェアを初期化する手段、読み出し専用の不揮発性メモリに記憶されているブート用のプログラムにより、ネットワークに接続されている外部メモリ装置内に記憶されている当該遠方監視制御装置を動作させためのプログラム・データを読み出して自装置の揮発メモリに記憶させる手段、当該読み出したプログラムにより自装置機能を動作させる手段、として機能させることを特徴とする。
【００２３】
【発明の実施の形態】
以下、本発明に係る遠方監視制御装置の実施の形態について、図面を参照して説明する。なお、各図を通じて対応する部分には同一符号もしくは関連符号を付けて説明を省略する。
【００２４】
（第１の実施の形態）
まず、本発明の第１の実施の形態について図１ないし図３を参照して説明する。なお、図１は第１の実施の形態に係わるハードウェア構成図、図２はメモリマップ、図３は処理手順図である。
【００２５】
図１は、ネットワークインターフェース（図面上、略してＮＷ−ＩＦと表記する）等の伝送手段１６を付加した実質的な計算機システムによって構成した遠方監視制御装置１０Ａと、この遠方監視制御装置１０Ａから離れた場所に設置された外部メモリ装置２０と、さらにこれら遠方監視制御装置１０Ａおよび外部メモリ装置２０間を前記伝送手段１６およびネットワーク３０で結合するように構成して遠方監視制御システムを構築している。なお、図１では、前記遠方監視制御装置１０Ａはネットワーク３０に１台設置した状態を示しているが、実際には複数台（ｎ台）接続されているものとする。
【００２６】
ところで、前記外部メモリ装置２０の構成は、大容量の情報を記憶できるハードディスクのような不揮発性メモリ手段２２と、前記ネットワーク３０を介して遠方監視制御装置１０Ａとの間で不揮発性メモリ手段２２に記憶している内容の読み出しおよび書き込みを行うための伝送制御手段（図中、制御と表記する）２１とから構成されている。
【００２７】
次に図２を参照して本発明装置の動作について説明する。
図２において、Ａ１０は遠方監視制御装置１０Ａ側のメモリマップであり、ＲＯＭ１２に初期化エリアＡ１２−１およびブートプログラムエリアＡ１２−２を備え、またＲＡＭ１３に機能プログラム・データエリアＡ１３−１、ワークエリアＡ１３−２および保存エリアＡ１３−３を備えている。
【００２８】
一方、Ａ２０は外部メモリ装置２０側のメモリマップであり、前記ディスク２２上に、複数台の遠方監視制御装置１０ＡのＮｏ．１用…Ｎｏ．ｎ用にそれぞれ対応した機能プログラム・データを記憶するエリアＡ２２−１１〜Ａ２２−１ｎ、ワークエリアＡ２２−２および保存エリアＡ２２−３を形成している。なお、外部メモリ装置２０は前記機能プログラム・データを記憶するエリアＡ２２−１１〜Ａ２２−１ｎを常時動作状態に維持している。
【００２９】
以上のように構成された遠方監視制御システムにおいて、遠方監視制御装置１０Ａに電源を投入して演算処理部１１を立ち上げる時、同装置１０Ａ内のＲＯＭ１２に予め記憶されている初期化プログラムＡ１２−１およびブートプログラムＡ１２−２に基づいて、演算処理部１１は図３のフローチャートに示す処理手順のように動作する。
【００３０】
図３において、まず遠方監視制御装置１０Ａの立ち上げ時（ステップＳ３１）、ハードウェアはＲＯＭ１２の初期化プログラムＡ１２−１により初期状態にされる（ステップＳ３２）。次にブートプログラムＡ１２−２により、伝送手段１６を介してネットワーク３０に接続されている外部メモリ装置２０のディスク２２のエリアＡ２２−１１に記憶されている機能プログラム・データの中から、遠方監視制御装置１０に係わる機能プログラム・データＡ２２−１１が読み出され、ネットワーク３０および伝送手段１６を介してＲＡＭ１３のエリアＡ１３−１に記憶される（ステップＳ３３）。
【００３１】
そして、この外部メモリ装置２０から遠方監視制御装置１０のエリアＡ１３−１に記憶された情報を用いて演算処理部１１は遠方監視制御装置１０Ａの機能の動作を開始する（ステップＳ３４）。
【００３２】
ところで、演算処理部１１に備えられている周知のメモリ空き容量判定機能によりＲＡＭ１３上のワークエリアＡ１３−２や保存情報エリアＡ１３−３の空き容量に不足があることが検出された場合には、常時必要としない情報を、伝送手段１６およびネットワーク３０を介して外部メモリ装置２０のディスク２２に形成されたワークエリアＡ２２−２あるいは保存エリアＡ２２−３に転送し、ＲＡＭ１３上のワークエリアを確保するようにする。また、遠方監視制御装置１０Ａの立ち上げ時以外に、常時必要としないプログラム・データを必要とする時のみ、外部メモリ装置２０から遠方監視制御装置１０ＡのワークエリアＡ１３−２に読み出して動作させる。
【００３３】
以上述べたように、従来技術では、遠方監視制御装置１０Ａに必要なプログラム・データの全てを自装置１０Ａ内のＲＯＭやＲＡＭ、ハードディスクなどの不揮発性メモリで記憶するようにしていたが、本発明では遠方監視制御装置１０Ａに必要なプログラム・データのうち、一部をネットワークを介して別置きされた外部メモリ装置２０で記憶させるようにし、残りを遠方監視制御装置１０Ａ内のＲＯＭやＲＡＭ、ハードディスクなどの不揮発性メモリで記憶させるようにしたので、遠方監視制御装置１０Ａ内の不揮発性メモリをコンパクトで信頼性の高い装置にすることができる。
【００３４】
また、遠方監視制御装置１０Ａのメンテナンスを行う場合、ネットワーク３０に接続された外部メモリ装置２０に記憶された遠方監視制御装置１０Ａ用のプログラム・データをメンテナンスし、遠方監視制御装置１０Ａを再立ち上げるか、または外部メモリ装置２０から遠方監視制御装置１０Ａへ強制転送すれば遠方監視制御装置１０Ａのメンテナンスが実施できる。
【００３５】
したがって、ネットワーク３０に接続された複数台（Ｎｏ．１〜Ｎｏ．ｎ）の遠方監視制御装置１０Ａに対して、同じくネットワーク３０に接続された大容量の不揮発性メモリ２２を持った外部メモリ装置２０を１式備えることにより、より低価格で効果的なシステムが構築することができる。この場合、外部メモリ装置２０を冗長構成とすることにより、さらに信頼性を向上させることもできる。
【００３６】
（第２の実施の形態）
次に、本発明の第２の実施の形態について図４および図５を参照して説明する。
本実施の形態と第１の実施の形態との主な相違点は、図４から明らかなように本実施の形態は第１の実施形態のハードウェア構成に加えて、電源供給をバックアップする電源バックアップ手段（以後ＢＡＴと略す）１７を追加し、遠方監視制御装置１０Ａの電源停止時に、前記ＲＡＭ１３の記憶内容の一部または全部を揮発させないようにした点にある。その他の構成については同じなので説明を省略する。
【００３７】
次に本実施の形態の動作について説明する。
図５の処理手順で示すように、第１の実施の形態で既に説明した遠方監視制御装置１０Ａの立ち上げ時（ステップＳ５１）、ハードウェアは、ＲＯＭ１２の初期化プログラムＡ１２−１により初期状態にされる（ステップＳ５２）。
【００３８】
次に、遠方監視制御装置１０ＡのＢＡＴ１７によって不揮発化されているＲＡＭ１３のエリアＡ１３−１内の機能プログラム・データの情報が正常か否かを判定する（ステップＳ５３）。この判定により、不揮発化情報が正常でない場合（ＮＯ；機能プログラム・データの情報がないコールドスタート時）には、図３のステップＳ３３と同様に、ステップＳ５４によって外部メモリ装置２０のディスク２２のエリアＡ２３から遠方監視制御装置１０Ａに関するプログラム・データを読み出して、ＲＡＭ１３のエリアＡ１３−１にプログラム・データとして記憶し、遠方監視制御装置１０Ａの機能プログラムが動作を開始する。
【００３９】
前述した判定ステップＳ５３で不揮発化情報が正常の場合（ＹＥＳ）は、ステップＳ５５で外部メモリ装置２０の変更の有無をチェックする。次に、遠方監視制御装置１０Ａのプログラム・データがメンテナンス等により変更されているか否かをステップＳ５６で判定し、変更がないすなわちメンテナンスしていない（ＹＥＳ）場合、直ちに遠方監視制御装置１０Ａの機能プログラムの動作が開始する。しかし、メンテナンスされてプログラム・データに変更がある（ＮＯ）場合、前記ステップＳ５４に移り、前記外部メモリ装置２０のディスク２２のエリアＡ２３から遠方監視制御装置１０Ａのプログラム・データＡ２３を読み出して、ＲＡＭ１３のエリアＡ１３−１にプログラム・データとして記憶した後、遠方監視制御装置１０Ａの機能プログラムが動作を開始する。
【００４０】
以上述べたように、本実施の形態は、故障や保守のための再立ち上げ時に、前記ＲＡＭ１３上のエリアＡ１３−１内のプログラム・データがＢＡＴ１７により揮発されていないすなわち不揮発の条件（ＹＥＳ）の場合、外部メモリ装置２０への読み出し動作をせず、ＲＡＭ１３のエリアＡ１３−１に記憶されている機能プログラム・データによりすぐに立ち上げることができる。
【００４１】
しかし、メンテナンス等によって遠方監視制御装置１０Ａのプログラム・データに変更があった場合は、初期立ち上げと同様に外部メモリ装置２０から再度プログラム・データを読み出してＲＡＭ１３のエリアＡ１３−１にプログラム・データとして記憶した後、正しいプログラム・データにより遠方監視制御装置１０Ａの機能プログラムが動作を開始する。
【００４２】
【発明の効果】
以上説明したように、本発明は１台ないし複数台の遠方監視制御装置と、専用または共用のプログラム・データおよび保存エリアを持つ機械型ディスクもしくは大容量の不揮発性メモリを有する外部メモリ装置とをネットワークで接続するようにしたので、遠方監視制御装置には寿命や動作環境に制約がある機械型の不揮発性メモリを備える必要がなくなり、従来システムよりも信頼性が高く、かつ設置環境に問題のない遠方監視制御システム、遠方監視制御システムの動作方法およびそのプログラムを提供することができる。
【図面の簡単な説明】
【図１】本発明の第１の実施の形態に係わるハードウェア構成図。
【図２】本発明の第１の実施の形態に係わるメモリマップ
【図３】本発明の第１の実施の形態に係わる処理手順を示すフローチャート。
【図４】本発明の第２の実施の形態に係わるハードウェア構成図。
【図５】本発明の第２の実施の形態に係わる処理手順を示すフローチャート。
【図６】従来装置の第１のハードウェア構成図。
【図７】従来装置の第２のハードウェア構成図。
【符号の説明】
１０Ａ…遠方監視制御装置、１１…中央演算装置、１２…不揮発性メモリ、１３…読み書き自由な揮発性メモリ、１４…周辺機器、１５…外付けメモリ、１６…伝送手段、１７…電源バックアップ手段（ＢＡＴ）、２０…外部メモリ装置、２１…制御部、２２…不揮発性メモリ、３０…ネットワーク、Ａ１０，Ａ２０…メモリマップ。
【図１】
2004038830.tif 000003
【図２】
2004038830.tif 000004
【図３】
2004038830.tif 000005
【図４】
2004038830.tif 000006
【図５】
2004038830.tif 000007
【図６】
2004038830.tif 000008
【図７】
2004038830.tif 000009